(57)【要約】【課題】  電子掲示板に投稿される投稿文と番組を同期させて表示可能な受信装置を提供する。【解決手段】  受信装置１の掲示板閲覧部２４は、現在放送中の番組に関する投稿文がアップロードされる電子掲示板サーバ２から、投稿文が記述された投稿文データを取得し、タイムシフト部２２は、掲示板閲覧部２４の投稿文データを取得する時間間隔である再取得間隔を基に番組を遅延させて再生するためのシフト時間を算出する。  受信装置１は、シフト時間に基づいて、記憶装置２５に記録されている番組をシフト時間だけ遅延させて再生する。【選択図】  図３
2005123947.tif 000002
【特許請求の範囲】
【請求項１】
視聴者に提供される番組を受信し、現在放送中の番組を記憶装置に記録しつつ再生し、前記番組に関する投稿文がアップロードされる電子掲示板サーバから、前記番組に対する投稿文が記述された投稿文データを取得する受信装置であって、
一旦前記投稿文データを取得し、再度前記投稿文データを取得するまでの時間間隔を記憶する記憶手段と、
前記時間間隔から前記現在放送中の番組を遅延させて再生するための遅延時間を算出し、前記投稿文とを共に前記記憶装置に記録されている前記現在放送中の番組を前記遅延時間だけ遅延させて再生する再生手段と、
を備えることを特徴とする受信装置。
【発明の詳細な説明】
【技術分野】
【０００１】
本発明は、電子掲示板に投稿される投稿文と番組を同期させて表示可能な受信装置に関する。
【背景技術】
【０００２】
インテーネット上で公開されている電子掲示板の中には、番組の進行中に多数の視聴者がインターネット上の電子掲示板サーバが提供する電子掲示板に番組の進行内容に沿った書き込みを行う、いわゆる実況掲示板というものがある。
【０００３】
視聴者はテレビで番組を視聴しながら、インターネットに接続可能なパソコンなどの通信端末でメッセージを入力、投稿（アップロード）し、また、電子掲示板にアクセスすることで、掲示板に書き込まれたメッセージを取得し、閲覧している。この種の電子掲示板はメッセージの書き込みを行う視聴者のみならず、メッセージの閲覧を中心とする視聴者にも使われている。
【０００４】
ところで、視聴者が電子掲示板に対する書き込みに要する時間と、および視聴者が端末から電子掲示板サーバをアクセスして投稿文を取得する時間は、少なからず存在するものであり、そのため視聴者が端末で掲示板の最新の投稿文を取得するまでには必ず遅延が発生する。
【０００５】
そのため、視聴者が番組と投稿文を同時に見ようとした場合、視聴者の通信端末に掲示板の最新の投稿文が表示された頃には番組は先に進行してしまっており、現在視聴している番組と掲示板との表示内容の同期がとれなかった。視聴者の記憶に残っている場面であれば、投稿文がどの場面に該当するものであるかは推測可能であるが、視聴者が既に場面を見落としている場合には、書き込み内容が容易には理解できないなど、不便な部分が存在していた。
【特許文献１】特開平１１−８８８６３号公報
【特許文献２】特表２００２−５０７３４４号公報
【特許文献３】特開２００２−１１２２２３号公報
【特許文献４】特表２００２−５１０４３９号公報
【特許文献５】特表２００３−５０２９２０号公報
【発明の開示】
【発明が解決しようとする課題】
【０００６】
解決しようとする問題点は、電子掲示板の表示とテレビ画面上の番組の同期がとれないことであり、電子掲示板に投稿される投稿文と番組を同期させて表示可能な受信装置を提供することを目的とする。
【課題を解決するための手段】
【０００７】
上記目的を達成するために、本発明は、視聴者に提供される番組を受信し、現在放送中の番組を記憶装置に記録しつつ再生し、前記番組に関する投稿文がアップロードされる電子掲示板サーバから、前記番組に対する投稿文が記述された投稿文データを取得する受信装置であって、一旦前記投稿文データを取得し、再度前記投稿文データを取得するまでの時間間隔を記憶する記憶手段と、前記時間間隔から前記現在放送中の番組を遅延させて再生するための遅延時間を算出し、前記投稿文とを共に前記記憶装置に記録されている前記現在放送中の番組を前記遅延時間だけ遅延させて再生する再生手段とを備えることを特徴とする。
【発明の効果】
【０００８】
本発明によれば、視聴者は電子掲示板サーバに投稿されている投稿文の内容と現在放送中の番組の対応が容易に理解でき、番組と電子掲示板の双方の理解度が高まる。
【発明を実施するための最良の形態】
【０００９】
本発明の実施形態について、図１〜図１８を用いて説明する。
【００１０】
≪第１の実施形態：投稿文を表示するための専用の表示装置７ａが接続可能で、かつコンテンツがアナログ放送で供給される場合の受信装置１≫
第１の実施形態について、図１〜図９を用いて説明する。第１の実施形態におけるシステム全体の構成は、図１に示すように、受信装置１、電子掲示板サーバ２、視聴者が利用する端末とから構成され、受信装置１ａと通信端末３はインターネット、ＬＡＮ等のネットワーク４を介して電子掲示板サーバ２に接続され，テレビジョンやディスプレイ等の表示装置７ａ，ｂが接続される。なお、有線通信、放送衛星、通信衛星、または地上波放送を送出する通信タワーを介して番組放送、動画等（以下、コンテンツと総称する）が供給されることとする。
【００１１】
受信装置１ａは、図２に示すように、コンテンツ制御部１１ａ、ＡＶ（Audio and Visual）選択部１２ａ、操作情報受信部１３、映像出力部１４、および音声出力部１５とから構成される。
【００１２】
コンテンツ制御部１１ａは、外部から供給されるコンテンツを受信する機能と、電子掲示板サーバ２に接続して、電子掲示板サーバ２に投稿されている投稿文を検索し、特定の文字列を含んで構成される投稿文データを取得する機能と、表示装置７ｂに投稿文を表示させる機能とを有する（詳細については後述）。
【００１３】
また、ＡＶ選択部１２ａは、コンテンツ制御部１１が受信しているコンテンツか、タイムシフトされたコンテンツか、視聴者によって選択されたどちらか一方の映像信号と音声信号を生成する機能を有する（詳細については後述）。
【００１４】
また、操作情報受信部１３は、リモートコントローラやキーボード等の入力装置１６から送信される視聴者の操作内容を示す操作データを受信し、操作内容に応じて各種命令を各部へ供給する機能を有する。
【００１５】
映像出力部１４は、ＡＶ選択部１２ａが生成した映像信号を表示装置７へ出力する機能を有し、また、音声出力部１５は、ＡＶ選択部１２ａが生成した音声信号を表示装置７へ出力する機能を有する。
【００１６】
また、コンテンツ制御部１１ａは、図３に示すように、コンテンツ受信部２１ａ、タイムシフト部２２、再取得間隔保存部２３、および掲示板閲覧部２４ａとから構成され、ハードディスク装置等の記憶装置２５を備える。
【００１７】
コンテンツ受信部２１ａは、受信したコンテンツの受信映像データと受信音声データとをＡＶ選択部１２ａに供給する機能と、視聴者が入力装置１６を操作することによって操作情報受信部１３から供給されるコンテンツの供給命令に基づいてコンテンツを受信し、タイムシフト部２２に対して受信したコンテンツの符号化ＡＶデータを供給する機能とを有する（詳細については後述）。
【００１８】
また、タイムシフト部２２は、投稿文を電子掲示板サーバ２から取得する時間間隔（以降、再取得間隔と称す）と基に、コンテンツを遅延（タイムシフト）させて再生するためのシフト時間を所定の演算式で算出する機能を有する。また、タイムシフト部２２は、受信したコンテンツの符号化ＡＶデータを記憶装置２５に記録しつつ、算出したシフト時間だけ遅延させて符号化ＡＶデータを記憶装置２５から取得し、遅延符号化データとしてＡＶ選択部１２ａに供給する機能を有する。
【００１９】
このシフト時間は、視聴者が自由に設定することが可能であり、視聴者が入力装置１６を用いて入力したシフト時間は、操作情報受信部１３からタイムシフト部２２に供給される。
【００２０】
また、再取得間隔保存部２３は、再取得間隔が記述された再取得間隔データを記憶し、タイムシフト部２２に再取得間隔データを供給する機能を有する。この再取得間隔は、視聴者が自由に設定することが可能であり、視聴者が入力装置１６を用いて入力した再取得間隔は、操作情報受信部１３から再取得間隔保存部２３に供給される。
【００２１】
また、掲示板閲覧部２４ａは、ネットワーク４を介して電子掲示板サーバ２との接続を確立し、電子掲示板サーバ２に投稿されている投稿文が記述されたＨＴＭＬファイルである投稿文データを要求する機能と、電子掲示板サーバ２から受信した投稿文データを表示装置７ａに供給する機能を有する。また、掲示板閲覧部２４ａは、投稿文の自動再取得を行うか否かを記憶する機能を有する。
【００２２】
コンテンツがアナログ放送にて供給される場合、コンテンツ受信部２１ａは、図４に示すように、アナログ放送チューナ部３１、映像符号化処理部３２、音声符号化処理部３３、およびマルチプレクサ３４とから構成され、アナログ放送信号が供給されると、映像データ、音声データ、および符号化ＡＶデータを出力する。
【００２３】
アナログ放送チューナ部３１は、視聴者が入力装置１６を操作することによって操作情報受信部１３から供給されるコンテンツ選択命令に従って、アナログ放送波からコンテンツ選択命令で指定された特定のコンテンツを受信し、映像信号と音声信号に分離する機能を有する。
【００２４】
映像符号化処理部３２は、アナログ放送チューナ部３１によって分離された映像信号をデジタル信号に変換して受信映像データを生成する機能を有する。
【００２５】
音声符号化処理部３３は、アナログ放送チューナ部３１によって分離された音声信号をデジタル信号に変換して受信音声データを生成する機能を有する。
【００２６】
マルチプレクサ３４は、映像符号化処理部３２によって生成された受信映像データと、音声符号化処理部３３によって生成された受信音声データとを、ＭＰＥＧ−２（Moving Picture Experts Group）等の所定の符号化アルゴリズムに従って再符号化、圧縮し、受信映像データを再符号化した符号化映像データと、受信音声データを再符号化した符号化音声データとを多重化して符号化ＡＶデータを生成する機能を有する。
【００２７】
また、コンテンツがアナログ放送にて供給される場合、ＡＶ選択部１２ａは、図５に示すように、デマルチプレクサ４１ａ、映像復号処理部４２ａ、音声復号処理部４３ａ、映像選択部４４ａ、および音声選択部４５ａとから構成され、映像データ、タイムシフトされた遅延符号化ＡＶデータ、音声データが供給されると、映像信号と音声信号を出力する。
【００２８】
デマルチプレクサ４１ａは、遅延符号化ＡＶデータを遅延符号化映像データと遅延符号化音声データに分離する機能を有する。
【００２９】
映像復号処理部４２ａは、デマルチプレクサ４１ａによって分離された遅延符号化映像データを復号し、遅延映像データを生成する機能を有し、音声復号処理部４３ａは、デマルチプレクサ４１ａによって分離された遅延符号化音声データを復号し、遅延音声データを生成する機能を有する。
【００３０】
また、映像選択部４４ａは、視聴者が入力装置１６を操作することによって操作情報受信部１３から供給される出力命令に従って、選択された遅延映像データまたは受信映像データを基に、映像信号を生成する機能を有し、音声選択部４５ａは、視聴者が入力装置１６を操作することによって操作情報受信部１３から供給される出力命令に従って、選択された遅延音声データまたは受信音声データを基に、音声信号を生成する機能を有する。
【００３１】
また、表示装置７ａは、コンテンツ制御部１１ａと接続され、電子掲示板サーバ２に投稿されている投稿部を表示し、表示装置７ｂは、映像出力部１４および音声出力部１５と接続され、コンテンツを表示する。
【００３２】
電子掲示板サーバ２は、視聴者から投稿される投稿文を、例えば図６に示すようなデータ項目を有する形式で記録し、投稿された投稿文を電子掲示板として公開するためのＨＴＭＬファイル（投稿文データ）を生成する機能を有する。なお、図６の投稿文は、一例としてＸＭＬ形式で表記されたものが示されているが、特にこれに限定するものではなく、通信端末３と電子掲示板サーバ２間の通信は、ＸＭＬではなくＨＴＭＬでも良いし、通信端末３のアプリケーションが本発明に対応した専用のものであれば、独自のフォーマットでも良い。また、電子掲示板サーバ２内に投稿文を記録する際のそのデータの記録方式は、図６に示すＸＭＬ形式ではなく、独自のデータベースフォーマットであっても良い。
【００３３】
図６に示す投稿文を記録するデータは、掲示板の題目を区別する情報として放送局、番組、放送日、放送時刻のデータ項目を有し、さらに個々の投稿文を記録するため投稿番号、投稿時刻、発言者、投稿文のデータ項目を有している。また投稿文を電子掲示板として公開するためのＨＴＭＬファイルも掲示板の題目を区別する情報として放送局、番組、放送日、放送時刻のデータが記述され、さらに個々の投稿文を記録するため投稿番号、投稿時刻、発言者、投稿文のデータが記述される。
【００３４】
通信端末３は、キーボードやマウス等の入力装置を備え、またネットワーク４に接続する通信装置を備える。また、通信端末３は、Ｗｅｂブラウザ等の通信機能を有するアプリケーションソフトを実行可能であり、視聴者は、このアプリケーションソフトを利用して電子掲示板サーバ２に対して投稿文を投稿（アップロード）する。
【００３５】
視聴者は番組を視聴しながら、通信端末３から電子掲示板サーバ２への投稿を行うが、番組の進行に追従して可能な限り素早い投稿であることが望ましい。そのためには、使用頻度の高い文字列やシーンチェンジを示すような文字列は予め単語登録しておく。
【００３６】
なお、受信装置１−電子掲示板サーバ２間の諸データの送受信は、ＨＴＴＰやＦＴＰ等のファイル転送プロトコルの規約に基づいて行われることとし、諸データは所定のファイル形式またはメッセージヘッダに挿入されて送受信される。また、通信端末３−電子掲示板サーバ２間の諸データの送受信についても、同様にファイル転送プロトコルの規約に基づいて行われることとし、諸データは所定のファイル形式またはメッセージヘッダに挿入されて送受信される。
【００３７】
また、記憶装置２５については、ランダムアクセス可能な記憶装置２５であることが望ましく、ハードディスク装置以外にも記録型のＤＶＤドライブ装置（記録メディアを含む）等でも良い。
【００３８】
次に、第１の実施形態における受信装置１の動作について説明する。
【００３９】
通常、視聴者が受信装置１を用いてコンテンツを視聴する際は、まず、操作情報受信部１３からのコンテンツの受信命令に従って、コンテンツ受信部２１ａがコンテンツを受信する。ＡＶ選択部１２ａは、コンテンツ受信部２１ａによって受信されたコンテンツを表示装置７ｂが再生可能な映像信号と音声信号とに分離変換し、映像出力部１４がその映像信号を、音声出力部１５がその音声信号を出力することによって、視聴者はコンテンツを視聴することが可能となる。
【００４０】
具体的には、コンテンツ受信部２１ａのアナログ放送チューナ部３１は、視聴者が入力装置１６を操作することによって操作情報受信部１３から供給されるコンテンツ選択命令に従って、アナログ放送波からコンテンツ選択命令で指定された特定のコンテンツを受信し、映像信号と音声信号に分離し、それぞれを映像符号化処理部３２と音声符号化処理部３３とに供給する。
【００４１】
映像符号化処理部３２は、アナログ放送チューナ部３１によって分離された映像信号をデジタル信号に変換して受信映像データを生成し、音声符号化処理部３３は、アナログ放送チューナ部３１によって分離された音声信号をデジタル信号に変換して受信音声データを生成し、それぞれＡＶ選択部１２ａに供給する。
【００４２】
ＡＶ選択部１２ａの映像選択部４４ａは、操作情報受信部１３から供給される出力命令に従って、受信映像データから映像信号を生成し、同様にＡＶ選択部１２ａの音声選択部４５ａは、受信音声データから音声信号を生成する。そして、映像出力部１４がその映像信号を、音声出力部１５がその音声信号をそれぞれ出力することによって、コンテンツが表示装置７ｂに出力され、視聴者は視聴することが可能となる。
【００４３】
また、通常の視聴を行いつつ、記憶装置２５に記録することも可能である。その場合は、操作情報受信部１３からのコンテンツの記録命令に従って、コンテンツ受信部２１ａがＡＶ選択部１２ａとタイムシフト部２２にコンテンツを供給し、タイムシフト部２２がそのコンテンツを記憶装置２５に記録する。
【００４４】
また、記憶装置２５に一旦記録したコンテンツを通常視聴する際は、操作情報受信部１３からのコンテンツの再生命令に従って、タイムシフト部２２が記憶装置２５から再生を指定されたコンテンツを取得、ＡＶ選択部１２ａへ供給する。ＡＶ選択部１２ａは、上記と同様の手順で記憶装置２５から取得されたコンテンツを映像信号と音声信号とに分離変換し、映像出力部１４がその映像信号を、音声出力部１５がその音声信号をそれぞれ出力することによって、視聴者はコンテンツを視聴することが可能となる。
【００４５】
また、視聴者が記憶装置２５に記録されているコンテンツを電子掲示板上の投稿文と同期させて視聴することも可能である。その際には、まず、受信装置１は、投稿文を取得しさらにコンテンツを遅延させて再生するためのシフト時間を算出する必要がある。以下、図７および図９のフローチャートに基づいて、第１の実施形態におけるコンテンツと投稿文を同期させて表示するための処理について説明する。
【００４６】
まず、図７のフローチャートに基づいて、投稿文を取得する処理について説明する。
【００４７】
受信装置１ａが起動されると、受信装置１ａの掲示板閲覧部２４ａは、再取得間隔保存部２３から再取得間隔データを取得し、電子掲示板サーバ２に接続して、投稿文の一覧データを取得する（ステップＳ０１）。
【００４８】
視聴者が表示装置７ａに表示された投稿文の一覧から特定の投稿文を選択すると（ステップＳ０２）、操作情報受信部１３から供給される取得命令に従って、掲示板閲覧部２４ａは、電子掲示板サーバ２から選択された投稿文の投稿文データを取得し（ステップＳ０３）、表示装置７ａに表示する（ステップＳ０４）。
【００４９】
一方、視聴者は、掲示板閲覧部２４ａに対して、予め電子掲示板サーバ２に所定の時間間隔で投稿文を自動再取得するかどうかを設定することが可能である。掲示板閲覧部２４ａは、投稿文の自動再取得を行うと設定されているかどうか判定し（ステップＳ０５）、自動再取得を行うと設定されていると判定した場合は、掲示板閲覧部２４ａは、最後に投稿文を取得した時刻から再取得間隔が経過したかどうか判定する（ステップＳ０６）。再取得間隔が経過した時には、掲示板閲覧部２４ａは、電子掲示板サーバ２から投稿文データを取得（ステップＳ０７）、表示装置７ａに表示し（ステップＳ０８）、ステップＳ０５からの処理を繰り返す。
【００５０】
また、ステップＳ０５で、自動再取得が設定されていないと判定した場合は、掲示板閲覧部２４ａは処理を完了する。
【００５１】
掲示板閲覧部２４ａによって表示装置７ａに表示される投稿文の表示例を図８に示す。図８には、スレッド名として「○○テレビ」と、各投稿文が表示されている。投稿文が自動再取得された場合には、常に最新の発言が表示されるよう、画面全体が一度に書き換わるか、画面が自動スクロールされて入れ替わる。また、視聴者が入力装置１６を用いて画面上の投稿文を過去に遡って表示させてもよい。また、視聴者が選択中の投稿文はハイライト表示され、現在の選択場所の状態が判別可能になっている。
【００５２】
次に、図９のフローチャートに基づいて、投稿文とコンテンツを同期させて表示させる処理について説明する。
【００５３】
受信装置１ａが起動されると、受信装置１ａのタイムシフト部２２は、再取得間隔保存部２３から再取得間隔データを取得する（ステップＳ１１）。
【００５４】
次に、タイムシフト部２２は下記の条件に従ってシフト時間を算出する（ステップＳ１２）。
【００５５】
条件：再取得間隔≦シフト時間≦再取得間隔×２
受信装置１ａが起動された直後は、タイムシフト部２２は、次の演算式に従ってシフト時間の初期値を設定する。
［数１］
シフト時間＝再取得間隔×１．５・・・・・（１）
シフト時間が算出されると、遅延再生可能な状態になり、受信装置１ａは、視聴者の操作に応じて遅延再生を行う（ステップＳ１３）。
【００５６】
視聴者が、入力装置１６を用いて記憶装置２５に記録されているコンテンツを電子掲示板上の投稿文と同期させて視聴することを受信装置１ａに指示すると、操作情報受信部１３はコンテンツ受信部２１に対して受信したコンテンツの符号化ＡＶデータをタイムシフト部２２に供給する供給命令を、同時に、タイムシフト部２２に対してコンテンツ受信部２１ａから供給される符号化ＡＶデータを記憶装置２５に記録する記録命令を供給する。
【００５７】
また、記憶装置２５に記録している符号化ＡＶデータをシフト時間だけ遅延して再生するため、操作情報受信部１３は、タイムシフト部２２に対してシフト時間だけ遅延して取得する遅延取得命令を供給し、ＡＶ選択部１２ａに対して遅延されたコンテンツを表示装置７に表示させるための出力命令を供給する。
【００５８】
ＡＶ選択部１２ａのデマルチプレクサ４１ａは、タイムシフト部２２から遅延符号化データが供給されると、遅延符号化ＡＶデータを遅延符号化映像データと遅延符号化音声データに分離し、映像復号処理部４２ａは、デマルチプレクサ４１ａによって分離された遅延符号化映像データを復号し、遅延映像データを生成、音声復号処理部４３ａは、デマルチプレクサ４１ａによって分離された遅延符号化音声データを復号し、遅延音声データを生成する。
【００５９】
映像選択部４４ａは、操作情報受信部１３からの出力命令に従って、遅延映像データから映像信号を生成し、音声選択部４５ａは、操作情報受信部１３からの出力命令に従って、遅延音声データから音声信号を生成する。
【００６０】
映像出力部１４がＡＶ選択部１２ａによって生成された映像信号を表示装置７ｂへ出力し、また、音声出力部１５がＡＶ選択部１２ａによって生成された音声信号を表示装置７ｂへ出力し、さらには、掲示板閲覧部２４ａによって掲示板の投稿文は表示装置７ａに表示されているので、表示装置７ａの投稿文と、表示装置７ｂのコンテンツが、ほぼ遅延なく同期に近い状態で表示される。
【００６１】
≪第２の実施形態：投稿文を表示するための専用の表示装置７が接続可能で、かつコンテンツがアナログ放送以外で供給される場合の受信装置１≫
コンテンツがアナログ放送以外にて供給される場合、コンテンツがデジタル放送にて供給される場合は、受信装置１ｂは、図２に示すように、コンテンツ制御部１１ｂ、ＡＶ（Audio and Visual）選択部ｂ、操作情報受信部１３、映像出力部１４、および音声出力部１５とから構成される。
【００６２】
コンテンツ制御部１１ｂは、図３に示すように、コンテンツ受信部２１ｂ、タイムシフト部２２、再取得間隔保存部２３、および掲示板閲覧部２４ａとから構成され、ハードディスク装置等の記憶装置２５を備える
また、コンテンツ受信部２１ｂは、図１０に示すように、デジタル放送チューナ部５１を備え、デジタル放送信号が供給されると、符号化ＡＶデータを出力する。
【００６３】
具体的には、デジタル放送チューナ部５１は、視聴者が入力装置１６を操作することによって操作情報受信部１３から供給されるコンテンツ選択命令に従って、デジタル放送波からコンテンツ選択命令で指定された特定のコンテンツを受信し、ＭＰＥＧ−２等の所定の符号化アルゴリズムに従って再符号化、圧縮して符号化ＡＶデータを生成する機能を有する。
【００６４】
また、ケーブルテレビのように有線通信にてコンテンツが供給される場合、コンテンツ受信部２１ｂは、図１１に示すように、コンテンツ取得部５２、および方式変換部５３とから構成され、配信データが供給されると、符号化ＡＶデータを出力する。
【００６５】
コンテンツ取得部５２は、視聴者が入力装置１６を操作することによって操作情報受信部１３から供給されるコンテンツ選択命令に従って、有線通信網からコンテンツ選択命令で指定された特定のコンテンツを取得し、
方式変換部５３は、コンテンツ取得部５２によって取得されたコンテンツを、ＭＰＥＧ−２等の所定の符号化アルゴリズムに従って符号化、圧縮して符号化ＡＶデータを生成する機能を有する。
【００６６】
また、コンテンツがアナログ放送以外にて供給される場合、ＡＶ選択部１２ｂは、図１２に示すように、第１デマルチプレクサ６１ｂ、第２デマルチプレクサ６２ｂ、映像選択部４４ｂ、音声選択部４５ｂ、映像復号処理部４２ｂ、および音声復号処理部４３ｂとから構成され、符号化ＡＶデータ、タイムシフトされた遅延符号化ＡＶデータ、音声データが供給されると、映像信号と音声信号を出力する。
【００６７】
第１デマルチプレクサ６１ｂは、符号化ＡＶデータを符号化映像データと符号化音声データに分離する機能を有する。
【００６８】
第２デマルチプレクサ６２ｂは、遅延符号化ＡＶデータを遅延符号化映像データと遅延符号化音声データに分離する機能を有する。
【００６９】
映像選択部４４ｂは、視聴者が入力装置１６を操作することによって操作情報受信部１３から供給される出力命令に従って、選択された遅延符号化映像データまたは符号化映像データを選択、出力する機能を有する。
【００７０】
音声選択部４５ｂは、視聴者が入力装置１６を操作することによって操作情報受信部１３から供給される出力命令に従って、選択された遅延符号化音声データまたは符号化音声データを選択、出力する機能を有する。
【００７１】
映像復号処理部４２ｂは、映像選択部４４ｂで選択された遅延符号化映像データまたは符号化映像データを基に、映像信号を生成する機能を有する。
【００７２】
音声復号処理部４３ｂは、音声選択部４５ｂで選択された遅延符号化音声データまたは符号化音声データを基に、音声信号を生成する機能を有する。
【００７３】
次に、第２の実施形態における受信装置１ｂの動作について説明する。なお、投稿文を取得する処理、投稿文とコンテンツを同期させて表示させる処理のうちシフト時間を算出するまでの処理については、第１の実施形態を同じなので、詳細な説明を省略する。
【００７４】
通常、視聴者が受信装置１ｂを用いてコンテンツを視聴する際は、まず、操作情報受信部１３からのコンテンツの受信命令に従って、コンテンツ受信部２１ｂがコンテンツを受信する。ＡＶ選択部１２ｂは、コンテンツ受信部２１ｂによって受信されたコンテンツを表示装置７ｂが再生可能な映像信号と音声信号とに分離変換し、映像出力部１４がその映像信号を、音声出力部１５がその音声信号を出力することによって、視聴者はコンテンツを視聴することが可能となる。
【００７５】
具体的には、図１０に示すコンテンツ受信部２１ｂであれば、コンテンツ受信部２１ｂのデジタル放送チューナ部５１は、視聴者が入力装置１６を操作することによって操作情報受信部１３から供給されるコンテンツ選択命令に従って、デジタル放送波からコンテンツ選択命令で指定された特定のコンテンツを受信、コンテンツの符号化ＡＶデータを取得し、ＡＶ選択部１２ｂに供給する。
【００７６】
また、図１１に示すコンテンツ受信部２１ｂであれば、コンテンツ取得部５２は、操作情報受信部１３から供給されるコンテンツ選択命令に従って、有線通信網からコンテンツ選択命令で指定された特定のコンテンツを取得し、方式変換部５３は、コンテンツ取得部５２によって取得されたコンテンツを、ＭＰＥＧ−２等の所定の符号化アルゴリズムに従って符号化、圧縮して符号化ＡＶデータを生成し、ＡＶ選択部１２ｂに供給する。
【００７７】
ＡＶ選択部１２ｂの第１デマルチプレクサ６１ｂは、符号化ＡＶデータが供給されると、符号化ＡＶデータを符号化映像データと符号化音声データに分離し、それぞれ映像選択部４４ｂと音声選択部４５ｂに供給する。映像選択部４４ｂと音声選択部４５ｂは操作情報受信部１３から供給される出力命令に従って、符号化映像データと符号化音声データとをそれぞれ映像復号処理部４２ｂと音声復号処理部４３ｂに供給する。
【００７８】
映像復号処理部４２ｂは、符号化映像データから映像信号を生成し、同様に音声復号処理部４３ｂは、符号化音声データから音声信号を生成する。そして、映像出力部１４がその映像信号を、音声出力部１５がその音声信号をそれぞれ出力することによって、コンテンツが表示装置７ｂに出力され、視聴者は視聴することが可能となる。
【００７９】
また、通常の視聴を行いつつ、記憶装置２５に記録することも可能である。その場合は、操作情報受信部１３からのコンテンツの記録命令に従って、コンテンツ受信部２１ｂがＡＶ選択部１２ｂとタイムシフト部２２にコンテンツを供給し、タイムシフト部２２がそのコンテンツを記憶装置２５に記録する。
【００８０】
また、記憶装置２５に一旦記録したコンテンツを通常視聴する際は、操作情報受信部１３からのコンテンツの再生命令に従って、タイムシフト部２２が記憶装置２５から再生を指定されたコンテンツを取得、ＡＶ選択部１２ｂへ供給する。ＡＶ選択部１２ｂは、上記と同様の手順で記憶装置２５から取得されたコンテンツの符号化ＡＶデータを映像信号と音声信号とに分離変換し、映像出力部１４がその映像信号を、音声出力部１５がその音声信号をそれぞれ出力することによって、視聴者はコンテンツを視聴することが可能となる。
【００８１】
また、視聴者が記憶装置２５に記録されているコンテンツを電子掲示板上の投稿文と同期させて視聴することも可能である。第１の実施形態と同様の手順でシフト時間が算出されると、遅延再生可能な状態になり、受信装置１ｂは、視聴者の操作に応じて遅延再生を行う。
【００８２】
視聴者が、入力装置１６を用いて記憶装置２５に記録されているコンテンツを電子掲示板上の投稿文と同期させて視聴することを受信装置１ｂに指示すると、操作情報受信部１３はコンテンツ受信部２１ｂに対して受信したコンテンツの符号化ＡＶデータをタイムシフト部２２に供給する供給命令を、同時に、タイムシフト部２２に対してコンテンツ受信部２１ｂから供給される符号化ＡＶデータを記憶装置２５に記録する記録命令を供給する。
【００８３】
また、記憶装置２５に記録している符号化ＡＶデータをシフト時間だけ遅延して再生するため、操作情報受信部１３は、タイムシフト部２２に対してシフト時間だけ遅延して取得する遅延取得命令を供給し、ＡＶ選択部１２ｂに対して遅延されたコンテンツを表示装置７に表示させるための出力命令を供給する。
【００８４】
ＡＶ選択部１２ｂの第２デマルチプレクサ６２ｂは、タイムシフト部２２から遅延符号化データが供給されると、遅延符号化ＡＶデータを遅延符号化映像データと遅延符号化音声データに分離し、映像選択部４４ｂは、操作情報受信部１３からの出力命令に従って、遅延符号化映像データを出力、音声選択部４５ｂは、操作情報受信部１３からの出力命令に従って、遅延符号化音声データを出力する。
【００８５】
映像復号処理部４２ｂは、映像選択部４４ｂで選択された遅延符号化映像データを基に、映像信号を生成し、音声復号処理部４３ｂは、音声選択部４５ｂで選択された遅延符号化音声データを基に、音声信号を生成する。
【００８６】
映像出力部１４がＡＶ選択部１２ｂによって生成された映像信号を表示装置７ｂへ出力し、また、音声出力部１５がＡＶ選択部１２ｂによって生成された音声信号を表示装置７ｂへ出力し、さらには、掲示板閲覧部２４によって掲示板の投稿文は表示装置７ａに表示されているので、表示装置７ａの投稿文と、表示装置７ｂのコンテンツが、ほぼ遅延なく同期に近い状態で表示される。
【００８７】
≪第３の実施形態：投稿文とコンテンツを１つの表示装置７で表示し、かつコンテンツがアナログ放送で供給される場合の受信装置１≫
第３の実施形態について、図１３〜図１７を用いて説明する。第１の実施形態、または第２の実施形態と同じ構成要件については同じ番号を付し、詳細な説明は省略する。
【００８８】
第３の実施形態におけるシステム全体の構成は、図１３に示すように、受信装置１ｃ、電子掲示板サーバ２、視聴者が利用する端末とから構成され、受信装置１ｃと通信端末３はインターネット、ＬＡＮ等のネットワーク４を介して電子掲示板サーバ２に接続され，テレビジョン等の表示装置７が接続される。なお、有線通信、放送衛星、通信衛星、または地上波放送を送出する通信タワーを介して番組放送、動画等（以下、コンテンツと総称する）が供給されることとする。
【００８９】
受信装置１ｃは、図１４に示すように、コンテンツ制御部１１ｃ、ＡＶ合成部７１ａ、操作情報受信部１３、映像出力部１４、および音声出力部１５とから構成される。
【００９０】
コンテンツ制御部１１ｃは、外部から供給されるコンテンツを受信する機能と、電子掲示板サーバ２に接続して、電子掲示板サーバ２に投稿されている投稿文を検索し、特定の文字列を含んで構成される投稿文データを取得する機能とを有する（詳細については後述）。
【００９１】
ＡＶ合成部７１ａは、コンテンツ制御部１１が受信しているコンテンツ、タイムシフトされたコンテンツを、視聴者によって選択された表示形式で表示するための映像信号と音声信号を生成する機能を有する（詳細については後述）。
【００９２】
また、コンテンツ制御部１１ｃは、図１５に示すように、コンテンツ受信部２１ａ、タイムシフト部２２、再取得間隔保存部２３、および掲示板閲覧部２４ｃとから構成され、ハードディスク装置等の記憶装置２５を備える。
【００９３】
また、掲示板閲覧部２４ｃは、ネットワーク４を介して電子掲示板サーバ２との接続を確立し、電子掲示板サーバ２に投稿されている投稿文が記述されたＨＴＭＬファイルである投稿文データを要求する機能と、投稿文の自動再取得を行うか否かを記憶とする機能を有する。また、掲示板閲覧部２４ｃは、受信した投稿文データをＡＶ合成部７１ａに供給する機能を有する。
【００９４】
また、コンテンツがアナログ放送にて供給される場合、ＡＶ合成部７１ａは、図１６に示すように、デマルチプレクサ４１ａ、映像復号処理部４２ａ、音声復号処理部４３ａ、映像合成部８１ａ、および音声選択部４５ａとから構成され、映像データ、タイムシフトされた遅延符号化ＡＶデータ、音声データが供給されると、映像信号と音声信号を出力する。
【００９５】
映像合成部８１ａは、視聴者が入力装置１６を操作することによって操作情報受信部１３から供給される出力画面設定命令に従って、遅延映像データ、受信映像データ、投稿文データを基に、視聴者所望の表示形態で映像を表示するための映像信号を生成する機能を有する。この出力画面設定命令とは、タイムシフトした映像や投稿文等をどのような表示形態で表示するか設定するデータを含む命令である。
【００９６】
次に、第３の実施形態における受信装置１ｃの動作について説明する。なお、投稿文を取得する処理、投稿文とコンテンツを同期させて表示させる処理のうちシフト時間を算出するまでの処理については、第１の実施形態を同じなので、詳細な説明を省略する。
【００９７】
通常、視聴者が受信装置１ｃを用いてコンテンツを視聴する際は、まず、操作情報受信部１３からのコンテンツの受信命令に従って、コンテンツ受信部２１ａがコンテンツを受信する。ＡＶ合成部７１ａは、コンテンツ受信部２１ａによって受信されたコンテンツを表示装置７が再生可能な映像信号と音声信号とに分離変換し、映像出力部１４がその映像信号を、音声出力部１５がその音声信号を出力することによって、視聴者はコンテンツを視聴することが可能となる。
【００９８】
具体的には、コンテンツ受信部２１ａのアナログ放送チューナ部３１は、視聴者が入力装置１６を操作することによって操作情報受信部１３から供給されるコンテンツ選択命令に従って、アナログ放送波からコンテンツ選択命令で指定された特定のコンテンツを受信し、映像信号と音声信号に分離し、それぞれを映像符号化処理部３２と音声符号化処理部３３とに供給する。
【００９９】
映像符号化処理部３２は、アナログ放送チューナ部３１によって分離された映像信号をデジタル信号に変換して受信映像データを生成し、音声符号化処理部３３は、アナログ放送チューナ部３１によって分離された音声信号をデジタル信号に変換して受信音声データを生成し、それぞれＡＶ合成部７１ａに供給する。
【０１００】
ＡＶ合成部７１ａの映像合成部８１ａは、操作情報受信部１３から供給される出力画面設定命令に従って、受信映像データから映像信号を生成し、同様にＡＶ合成部７１ａの音声選択部４５ａは、操作情報受信部１３から供給される出力命令に従って、受信音声データから音声信号を生成する。そして、映像出力部１４がその映像信号を、音声出力部１５がその音声信号をそれぞれ出力することによって、コンテンツが表示装置７ｂに出力され、視聴者は視聴することが可能となる。
【０１０１】
また、通常の視聴を行いつつ、記憶装置２５に記録することも可能である。その場合は、操作情報受信部１３からのコンテンツの記録命令に従って、コンテンツ受信部２１ａがＡＶ合成部７１ａとタイムシフト部２２にコンテンツを供給し、タイムシフト部２２がそのコンテンツを記憶装置２５に記録する。
【０１０２】
また、記憶装置２５に一旦記録したコンテンツを通常視聴する際は、操作情報受信部１３からのコンテンツの再生命令に従って、タイムシフト部２２が記憶装置２５から再生を指定されたコンテンツを取得、ＡＶ合成部７１ａへ供給する。ＡＶ合成部７１ａは、上記と同様の手順で記憶装置２５から取得されたコンテンツを映像信号と音声信号とに分離変換し、映像出力部１４がその映像信号を、音声出力部１５がその音声信号をそれぞれ出力することによって、視聴者はコンテンツを視聴することが可能となる。
【０１０３】
また、視聴者が記憶装置２５に記録されているコンテンツを電子掲示板上の投稿文と同期させて視聴することも可能である。第１の実施形態と同様の手順でシフト時間が算出されると、遅延再生可能な状態になり、受信装置１ｃは、視聴者の操作に応じて遅延再生を行う。
【０１０４】
視聴者が、入力装置１６を用いて記憶装置２５に記録されているコンテンツを電子掲示板上の投稿文と同期させて視聴することを受信装置１ｃに指示すると、操作情報受信部１３はコンテンツ受信部２１ａに対して受信したコンテンツの符号化ＡＶデータをタイムシフト部２２に供給する供給命令を、同時に、タイムシフト部２２に対してコンテンツ受信部２１ａから供給される符号化ＡＶデータを記憶装置２５に記録する記録命令を供給する。
【０１０５】
また、記憶装置２５に記録している符号化ＡＶデータをシフト時間だけ遅延して再生するため、操作情報受信部１３は、タイムシフト部２２に対してシフト時間だけ遅延して取得する遅延取得命令を供給し、ＡＶ合成部７１ａに対して遅延されたコンテンツを表示装置７に表示させるための出力命令を供給する。
【０１０６】
ＡＶ合成部７１ａのデマルチプレクサ４１ａは、タイムシフト部２２から遅延符号化データが供給されると、遅延符号化ＡＶデータを遅延符号化映像データと遅延符号化音声データに分離し、映像復号処理部４２ａは、デマルチプレクサ４１ａによって分離された遅延符号化映像データを復号し、遅延映像データを生成、音声復号処理部４３ａは、デマルチプレクサ４１ａによって分離された遅延符号化音声データを復号し、遅延音声データを生成する。
【０１０７】
映像合成部８１ａは、操作情報受信部１３からの出力画面設定命令に従って、遅延映像データ、受信映像データ、および投稿文データから映像信号を生成し、音声選択部４５ａは、操作情報受信部１３からの出力命令に従って、遅延音声データ、または受信音声データから音声信号を生成する。
【０１０８】
映像出力部１４がＡＶ合成部７１ａによって生成された映像信号を表示装置７へ出力し、また、音声出力部１５がＡＶ合成部７１ａによって生成された音声信号を表示装置７へ出力するので、投稿文とコンテンツが、ほぼ遅延なく同期に近い状態で表示される。
【０１０９】
図１７に、第３の実施形態におけるコンテンツと投稿文、およびタイムシフトさせたコンテンツの表示例を示す。図１７中、（Ｒ）で示されている画面領域は、受信装置１がリアルタイムで受信しているコンテンツが表示され、（Ｔ）で示されている画面領域は、タイムシフトされたコンテンツが表示される。また、（Ｂ）で示されている画面領域は、図８に示す投稿文が表示される。
【０１１０】
なお、図１７には５つの表示形態が示されているが、これに限定されるものではない。
【０１１１】
≪第４の実施形態：投稿文とコンテンツを１つの表示装置７で表示し、かつコンテンツがアナログ放送以外で供給される場合の受信装置１≫
第４の実施形態について、図１３〜図１８を用いて説明する。第１の実施形態、第２の実施形態、および第３の実施形態と同じ構成要件については同じ番号を付し、詳細な説明は省略する。
【０１１２】
第４の実施形態におけるシステム全体の構成は、図１３に示すように、受信装置１ｄ、電子掲示板サーバ２、視聴者が利用する端末とから構成され、受信装置１ｄと通信端末３はインターネット、ＬＡＮ等のネットワーク４を介して電子掲示板サーバ２に接続され，テレビジョン等の表示装置７が接続される。なお、有線通信、放送衛星、通信衛星、または地上波放送を送出する通信タワーを介して番組放送、動画等（以下、コンテンツと総称する）が供給されることとする。
【０１１３】
受信装置１ｄは、図１４に示すように、コンテンツ制御部１１ｄ、ＡＶ合成部７１ｂ、操作情報受信部１３、映像出力部１４、および音声出力部１５とから構成される。
【０１１４】
コンテンツ制御部１１ｄは、図１５に示すように、コンテンツ受信部２１ｂ、タイムシフト部２２、再取得間隔保存部２３、および掲示板閲覧部２４ｃとから構成され、ハードディスク装置等の記憶装置２５を備える
また、コンテンツ受信部２１ｂは、図１０に示すように、デジタル放送チューナ部５１を備え、デジタル放送信号が供給されると、符号化ＡＶデータを出力する。
【０１１５】
具体的には、デジタル放送チューナ部５１は、視聴者が入力装置１６を操作することによって操作情報受信部１３から供給されるコンテンツ選択命令に従って、デジタル放送波からコンテンツ選択命令で指定された特定のコンテンツを受信し、ＭＰＥＧ−２等の所定の符号化アルゴリズムに従って再符号化、圧縮して符号化ＡＶデータを生成する機能を有する。
【０１１６】
また、ケーブルテレビのように有線通信にてコンテンツが供給される場合、コンテンツ受信部２１ｂは、図１１に示すように、コンテンツ取得部５２、および方式変換部５３とから構成され、配信データが供給されると、符号化ＡＶデータを出力する。
【０１１７】
また、コンテンツがアナログ放送以外にて供給される場合、ＡＶ合成部７１ｂは、図１８に示すように、第１デマルチプレクサ６１ｂ、第２デマルチプレクサ６２ｂ、音声選択部４５ｂ、音声復号処理部４３ｂ、第１映像復号処理部９１、第２映像復号処理部９２、および映像合成部８１とから構成され、符号化ＡＶデータ、タイムシフトされた遅延符号化ＡＶデータ、音声データが供給されると、映像信号と音声信号を出力する。
【０１１８】
第１映像復号処理部９１は、第１デマルチプレクサ６１ｂで分離された符号化映像データを基に、受信映像データを生成する機能を有する。
【０１１９】
第２映像復号処理部９２は、第２デマルチプレクサ６２ｂで分離された遅延符号化映像データを基に、遅延映像データを生成する機能を有する。
【０１２０】
次に、第４の実施形態における受信装置１ｄの動作について説明する。なお、投稿文を取得する処理、投稿文とコンテンツを同期させて表示させる処理のうちシフト時間を算出するまでの処理については、第１の実施形態を同じなので、詳細な説明を省略する。
【０１２１】
通常、視聴者が受信装置１ｄを用いてコンテンツを視聴する際は、まず、操作情報受信部１３からのコンテンツの受信命令に従って、コンテンツ受信部２１ｂがコンテンツを受信する。ＡＶ合成部７１ｂは、コンテンツ受信部２１ｂによって受信されたコンテンツを表示装置７が再生可能な映像信号と音声信号とに分離変換し、映像出力部１４がその映像信号を、音声出力部１５がその音声信号を出力することによって、視聴者はコンテンツを視聴することが可能となる。
【０１２２】
具体的には、図１０に示すコンテンツ受信部２１ｂであれば、コンテンツ受信部２１ｂのデジタル放送チューナ部５１は、視聴者が入力装置１６を操作することによって操作情報受信部１３から供給されるコンテンツ選択命令に従って、デジタル放送波からコンテンツ選択命令で指定された特定のコンテンツを受信、コンテンツの符号化ＡＶデータを取得し、ＡＶ合成部７１ｂに供給する。
【０１２３】
また、図１１に示すコンテンツ受信部２１ｂであれば、コンテンツ取得部５２は、操作情報受信部１３から供給されるコンテンツ選択命令に従って、有線通信網からコンテンツ選択命令で指定された特定のコンテンツを取得し、方式変換部５３は、コンテンツ取得部５２によって取得されたコンテンツを、ＭＰＥＧ−２等の所定の符号化アルゴリズムに従って符号化、圧縮して符号化ＡＶデータを生成し、ＡＶ合成部７１ｂに供給する。
【０１２４】
ＡＶ合成部７１ｂの第１デマルチプレクサ６１ｂは、符号化ＡＶデータが供給されると、符号化ＡＶデータを符号化映像データと符号化音声データに分離し、それぞれ第１映像復号処理部９１と音声選択部４５ｂに供給する。第１映像復号処理部９１は符号化映像データを基に受信映像データを生成、映像合成部８１ｂに供給し、音声選択部４５ｂは操作情報受信部１３から供給される出力命令に従って、符号化音声データを音声復号処理部４３ｂに供給する。
【０１２５】
映像合成部８１ｂは、操作情報受信部１３からの出力画面設定命令に従って、受信映像データから映像信号を生成し、音声復号処理部４３ｂは、符号化音声データから音声信号を生成する。そして、映像出力部１４がその映像信号を、音声出力部１５がその音声信号をそれぞれ出力することによって、コンテンツが表示装置７に出力され、視聴者は視聴することが可能となる。
【０１２６】
また、通常の視聴を行いつつ、記憶装置２５に記録することも可能である。その場合は、操作情報受信部１３からのコンテンツの記録命令に従って、コンテンツ受信部２１ｂがＡＶ合成部７１ｂとタイムシフト部２２にコンテンツを供給し、タイムシフト部２２がそのコンテンツを記憶装置２５に記録する。
【０１２７】
また、記憶装置２５に一旦記録したコンテンツを通常視聴する際は、操作情報受信部１３からのコンテンツの再生命令に従って、タイムシフト部２２が記憶装置２５から再生を指定されたコンテンツを取得、ＡＶ合成部７１ｂへ供給する。ＡＶ合成部７１ｂは、上記と同様の手順で記憶装置２５から取得されたコンテンツの符号化ＡＶデータを映像信号と音声信号とに分離変換し、映像出力部１４がその映像信号を、音声出力部１５がその音声信号をそれぞれ出力することによって、視聴者はコンテンツを視聴することが可能となる。
【０１２８】
また、視聴者が記憶装置２５に記録されているコンテンツを電子掲示板上の投稿文と同期させて視聴することも可能である。第１の実施形態と同様の手順でシフト時間が算出されると、遅延再生可能な状態になり、受信装置１ｄは、視聴者の操作に応じて遅延再生を行う。
【０１２９】
視聴者が、入力装置１６を用いて記憶装置２５に記録されているコンテンツを電子掲示板上の投稿文と同期させて視聴することを受信装置１ｄに指示すると、操作情報受信部１３はコンテンツ受信部２１に対して受信したコンテンツの符号化ＡＶデータをタイムシフト部２２に供給する供給命令を、同時に、タイムシフト部２２に対してコンテンツ受信部２１ｂから供給される符号化ＡＶデータを記憶装置２５に記録する記録命令を供給する。
【０１３０】
また、記憶装置２５に記録している符号化ＡＶデータをシフト時間だけ遅延して再生するため、操作情報受信部１３は、タイムシフト部２２に対してシフト時間だけ遅延して取得する遅延取得命令を供給し、ＡＶ合成部７１ｂに対して遅延されたコンテンツを表示装置７に表示させるための出力命令を供給する。
【０１３１】
ＡＶ合成部７１ｂの第２デマルチプレクサ６２は、タイムシフト部２２から遅延符号化データが供給されると、遅延符号化ＡＶデータを遅延符号化映像データと遅延符号化音声データに分離し、第２映像復号処理部９２は遅延符号化映像データを基に遅延映像データを生成、映像合成部８１ｂに供給し、音声選択部４５ｂは、操作情報受信部１３からの出力命令に従って、遅延符号化音声データ、または符号化音声データを出力する。
【０１３２】
映像合成部８１ｂは、操作情報受信部１３からの出力画面設定命令に従って、遅延映像データ、受信映像データ、および投稿文データから映像信号を生成し、音声復号処理部４３ｂは、遅延符号化音声データ、または符号化音声データから音声信号を生成する。
【０１３３】
映像出力部１４がＡＶ合成部７１ａによって生成された映像信号を表示装置７へ出力し、また、音声出力部１５がＡＶ合成部７１ａによって生成された音声信号を表示装置７へ出力するので、投稿文とコンテンツが、ほぼ遅延なく同期に近い状態で表示される。
【０１３４】
図１７に、第４の実施形態におけるコンテンツと投稿文、およびタイムシフトさせたコンテンツの表示例を示す。第３の実施形態と同様に、様々な画面構成でコンテンツと投稿文、およびタイムシフトさせたコンテンツが表示される。
【図面の簡単な説明】
【０１３５】
【図１】第１，２の実施形態におけるシステム全体の構成を示す図である。
【図２】第１，２の実施形態における受信装置の機能構成図である。
【図３】第１，２の実施形態におけるコンテンツ制御部の機能構成図である。
【図４】第１，３の実施形態にけるコンテンツ受信部ａの機能構成図である。
【図５】第１の実施形態におけるＡＶ選択部ａの機能構成図である。
【図６】電子掲示板サーバに投稿される投稿文を記録したデータを示す図である。
【図７】電子掲示板サーバから投稿文を取得する処理を示すフローチャートである。
【図８】表示装置に出力された投稿文の例を示す図である。
【図９】タイムシフトさせてコンテンツを表示する処理を示すフローチャートである。
【図１０】第２，４の実施形態にけるコンテンツ受信部ｂの機能構成図である。
【図１１】第２，４の実施形態にけるコンテンツ受信部ｃの機能構成図である。
【図１２】第２の実施形態におけるＡＶ選択部ａの機能構成図である。
【図１３】第３，４の実施形態におけるシステム全体の構成を示す図である。
【図１４】第３，４の実施形態における受信装置の機能構成図である。
【図１５】第３，４の実施形態におけるコンテンツ制御部の機能構成図である。
【図１６】第３の実施形態におけるＡＶ合成部ａの機能構成図である。
【図１７】第４の実施形態におけるＡＶ合成部ｂの機能構成図である。
【図１８】第３，４の実施形態におけるコンテンツの表示例を示す図である。
【符号の説明】
【０１３６】
１ａ，ｂ，ｃ，ｄ  受信装置
２  電子掲示板サーバ
３  通信端末
４  ネットワーク
７ａ，ｂ  表示装置（ＴＶ，ディスプレイ）
１１ａ，ｂ，ｃ，ｄ  コンテンツ制御部
１２ａ，ｂ  ＡＶ選択部
１３  操作情報受信部
１４  映像出力部
１５  音声出力部
１６  入力装置
２１ａ，ｂ  コンテンツ受信部
２２  タイムシフト部
２３  再取得間隔保存部
２４ａ，ｃ  掲示板閲覧部
２５  記憶装置
３１  アナログ放送チューナ部
３２  映像符号化処理部
３３  音声符号化処理部
３４  マルチプレクサ
４１ａ  デマルチプレクサ
４２ａ，ｂ  映像復号処理部
４３ａ，ｂ  音声復号処理部
４４ａ，ｂ  映像選択部
４５ａ，ｂ  音声選択部
５１  デジタル放送チューナ部
５２  コンテンツ取得部
５３  方式変換部
６１ｂ  第１デマルチプレクサ
６２ｂ  第２デマルチプレクサ
７１ａ，ｂ  ＡＶ合成部
８１ａ，ｂ  映像合成部
９１  第１映像復号処理部
９２  第２映像復号処理部
【図１】
2005123947.tif 000003
【図２】
2005123947.tif 000004
【図３】
2005123947.tif 000005
【図４】
2005123947.tif 000006
【図５】
2005123947.tif 000007
【図６】
2005123947.tif 000008
【図７】
2005123947.tif 000009
【図８】
2005123947.tif 000010
【図９】
2005123947.tif 000011
【図１０】
2005123947.tif 000012
【図１１】
2005123947.tif 000013
【図１２】
2005123947.tif 000014
【図１３】
2005123947.tif 000015
【図１４】
2005123947.tif 000016
【図１５】
2005123947.tif 000017
【図１６】
2005123947.tif 000018
【図１７】
2005123947.tif 000019
【図１８】
2005123947.tif 000020